(57)【要約】      （修正有）【課題】花木用の杭や棚用の杭等の各種杭を、安全に１人で打ち込める杭打ち具を提供する。【解決手段】筒状のハンマー本体１の内面には、上方を、重量物（金属）で閉塞し、かつ杭を打撃する錘２とし、また、下方を、杭挿入空間として役立つ空洞３とする。そして、ハンマー本体の外面には、作業者が把持する対の把手５を、対称に設ける。上方を錘２、下方を空洞３とする、二分割構造のハンマー本体１で杭の頭部を空洞で捉え、杭に、錘の落下速度と荷重を、確実に、伝達して杭打ちをおこなう。【選択図】図２
0003165743.tif 000002
【実用新案登録請求の範囲】
【請求項１】
筒状のハンマー本体の内面には、その上方を、重量物で閉塞し、かつ杭を打撃する錘とし、また、その下方を、杭挿入空間として役立つ空洞とした構造であり、そして、このハンマー本体の外面には、作業者が把持する対の把手を、対称に設けることを特徴とした杭打ち具。
【請求項２】
請求項１に記載の杭打ち具であって、
前記対の把手は、その取付部を、前記空洞の外周に設け、その把手を、前記取付部より放射方向に拡張するとともに、ハンマー本体の下部より延長し、このハンマー本体の長手方向の寸法の、略２倍の寸法を確保することを特徴とした杭打ち具。
【請求項３】
請求項１に記載の杭打ち具であって、
前記対の把手は、その一方の取付部を、前記錘の外周に設け、その他方の取付部を、前記空洞の外周に設ける構造とし、ハンマー本体の打撃時のぶれ解消を可能とすることを特徴とした杭打ち具。
【考案の詳細な説明】
【技術分野】
【０００１】
本考案は、花木用の杭、柵用の杭、或いは海苔養殖用の杭、等の各種の杭を、一人で、かつ安心して打込める杭打ち具に関する。
【背景技術】
【０００２】
一般に、この種の杭は、後述する文献（１）に示すように、二人掛りで打込むことが作業である。従って、人手を要すること、又は持ち手に怪我を負わせること、等の問題を抱えている。その解決策が、一人で杭打ちが可能であり、しかも簡易で、確実かつ安全に行える杭打ち具（杭打ち機）が要望される。この要望に答え得る杭打ち具を従来技術から、文献（１）〜（５）として列挙し、その構造と効果を検討する。
【０００３】
文献（１）は、特開２００９−７４３４１の「筒ハンマー」で、この発明は、ハンマー筒本体（ハンマー本体）の外面に、対称関係に倒半截Ｕ形の把手を取付け、この筒本体の上方天板部を鉄板で閉塞し、この筒本体に挿入した杭を、筒本体の打ち下しと、鉄板による打撃により杭打ち動作をする構造であり、一人での作業と、簡易で、確実かつ安全に行える杭打ち具と考えられる。しかし、錘が無いことから、杭打ちスピードが劣ること、又は外側の上方に把手のポイントを取付け構造であり、安定性に欠けることから、打ち下しに作業に、経験と注意を要すること、等の改良点がある。また、この発明は、打ち下し具であり、本来の錘を利用した杭打ち具でない。
【０００４】
また、文献（２）は、特開平１１−２９３６７３の「手動式の杭打ち器具」で、この発明は、杭の挿入を許す錘と、この錘を装着した把手を兼ねる杆材で形成したハンマー本体とで構成する。従って、杭に套嵌した錘を、ハンマー本体ごと、把手を介して、引上げ、その後、この錘とハンマー本体を落下することで、錘とハンマー本体の荷重を介して、杭打ちする構造であり、一人での作業と、簡易で、確実かつ安全に行える杭打ち具と考えられる。しかし、この発明は、杭を錘で套嵌する構造であり、この錘の全荷重が、杭に加わらず、効率が劣ると考えられる。また、ハンマー本体の構造が、傘状に絞込まれた構造であり、把手する際に、手の力が分散されることから、数本の杭打ち作業には不向きであり、また、杭打ち作業を失敗することが考えられ改良の余地が考えられる。
【０００５】
さらに、文献（３）は、実開平０７−２５０３６の「杭打ち具」であり、この考案は、ハンマー筒（ハンマー本体）の外面に、対称関係に半截コ形の把手を取付け、このハンマー筒の上方天板部をストライカーで閉塞し、このハンマー筒に挿入した杭を、ハンマー筒の打ち下しと、ストライカーによる打撃により杭打ち動作をする構造であり、前記文献（１）と略同じ構造であり、同様な効果が考えられる。また、その改良点も、前記文献（１）と同様に考えられる。
【０００６】
そして、文献（４）は、実開昭４９−２８８０４の「杭打器」であり、この考案は、パイプ（ハンマー本体）の外面に、対称関係となる複数本の半截コ形の把手を取付け、このパイプの中間に錘を設け、このパイプに挿入した杭を、パイプごと、把手を介して、引上げ、その後、この錘とパイプを落下することで、錘とパイプの荷重を介して、杭打ちする構造であり、前記文献（２）と略同じ構造であり、同様な効果が考えられる。しかし、この考案は、把手が複数本であるので、持上げ時に、他の把手が邪魔となり、杭打ち作業に困ることがあり得ること、又はこの把手の上下取付部が、パイプの上下端に設けられる構造であるので、把手を把持し、パイプと錘を持上げる際に、安定性に欠けること、等の改良点が考えられる。
【０００７】
【特許文献１】特開２００９−７４３４１
【特許文献２】特開平１１−２９３６７３
【特許文献３】実開平０７−２５０３６
【特許文献４】実開昭４９−２８８０４
【考案の概要】
【考案が解決しようとする課題】
【０００８】
文献（１）と文献（３）の如く、ハンマー本体に、錘を付設しない構造では、ハンマー本体の打ち下しと、鉄板、ストライカーによる打撃で、杭打ち動作をする。従って、杭打ちスピードが劣ること、杭打ちに時間と労力を要することで、複数の杭打ちには不向きであること、等の改良点がある。
【０００９】
また、文献（２）と文献（４）の如く、ハンマー本体に、錘を付設した構造では、把手の取付け位置が、錘を付設した箇所とは、全く簡易ないところであり、このハンマー本体を、把手を把持し、持上げる際に、安定性に欠けること、そして、この安定性に欠けることは、スムーズ、かつ効率的な作業を図るには、問題があること、等の改良点がある。
【課題を解決するための手段】
【００１０】
上記に鑑み、本考案は、以下に説明する手段を利用して、改良点の解決を図る。
【００１１】
即ち、請求項１の考案は、ハンマー本体の上方を錘とし、その下方を空洞とする、二分割構造とすることで、杭の頭部を空洞で捉え、かつ杭に、錘の落下速度と荷重を、確実に、伝達することを意図する。そして、この伝達を介して、例えば、錘とハンマー本体による打撃で、杭打ち動作をし、杭打ちスピードの向上と、杭打ちに要する時間短縮と労力軽減化を図ること、等を意図する。さらに、請求項１の考案は、前記伝達を介して、例えば、複数の杭打ちに、最適な杭打ち具を提供することを意図する。
【００１２】
請求項１は、筒状のハンマー本体の内面には、その上方を、重量物（金属）で閉塞し、かつ杭を打撃する錘とし、また、その下方を、杭挿入空間として役立つ空洞とした構造であり、そして、このハンマー本体の外面には、作業者が把持する対の把手を、対称に設けることを特徴とした杭打ちである。
【００１３】
請求項２の考案は、杭打ち具の把手を、ハンマー本体の下部に向かって延設することで、高い杭、段差箇所、又は海苔網用の杭打ちに適する構造とすること、背の低い、例えば、子供用等の杭打ち具として利用可能とすること、等を意図する。また、請求項２の考案は、錘を下に、把手を上にして、杭押込み用、杭打撃用としての利用も可能とし、汎用性を確保すること等を意図する。その他は、前述の請求項１の意図に準ずる。
【００１４】
請求項２は、請求項１に記載の杭打ち具であって、
前記対の把手は、その取付部を、前記空洞の外周に設け、その把手を、前記取付部より放射方向に拡張するとともに、ハンマー本体の下部より延長し、このハンマー本体の長手方向の寸法の、略２倍の寸法を確保することを特徴とした杭打ち具である。
【００１５】
請求項３の考案は、対の把手の一方の取付部を、錘の外周に設け、他方の取付け部を、前記空洞の外周に設ける構造とし、安定した状態で杭打ち作業をすること、杭を鉛直方向に確実に立設すること、等を意図する。また、錘の長手方向の略真中に、一方の取付部を設けることで、錘を持上げる力を軽減し、スムーズな持上げとともに、打ち下ろし等を図ることを意図する。また、請求項３の考案は、錘を下に、把手を上にして、杭押込み用、杭打撃用としての利用も可能とし、汎用性を確保すること等を意図する。さらに、請求項３の考案は、把手を横持で、錘を横にし、杭押込み用、杭打撃用としての利用も可能とし、汎用性を確保すること等を意図する。その他は、前述の請求項１の意図に準ずる。
【００１６】
請求項３は、請求項１に記載の杭打ち具であって、
前記対の把手は、その一方の取付部を、前記錘の外周に設け、その他方の取付部を、前記空洞の外周に設ける構造とし、ハンマー本体の打撃時のぶれ解消を可能とすることを特徴とした杭打ち具である。
【考案の効果】
【００１７】
請求項１の考案は、筒状のハンマー本体の内面には、上方を、重量物（金属）で閉塞し、かつ杭を打撃する錘とし、また、下方を、杭挿入空間として役立つ空洞とした構造であり、そして、ハンマー本体の外面には、作業者が把持する対の把手を、対称に設けることを特徴とした杭打ち具である。
【００１８】
従って、請求項１は、ハンマー本体の上方を錘とし、その下方を空洞とする、二分割構造とすることで、杭の頭部を空洞で捉え、かつ杭に、錘の落下速度と荷重を、確実に、伝達できる特徴がある。そして、この伝達を介して、例えば、錘とハンマー本体による打撃で、杭打ち動作をし、杭打ちスピードの向上と、杭打ちに要する時間短縮と労力軽減化が図れる実益がある。さらに、請求項１は、前記伝達を介して、例えば、複数の杭打ちに、最適な杭打ち具を提供できる特徴がある。
【００１９】
請求項２の考案は、請求項１に記載の杭打ち具であって、
対の把手は、取付部を、空洞の外周に設け、把手を、取付部より放射方向に拡張するとともに、ハンマー本体の下部より延長し、ハンマー本体の長手方向の寸法の、略２倍の寸法を確保することを特徴とした杭打ち具である。
【００２０】
従って、請求項２は、杭打ち具の把手を、ハンマー本体の下部に向かって延設することで、高い杭、段差箇所、又は海苔網用の杭打ちに適する構造となること、背の低い、例えば、子供用等の杭打ち具として利用可能となること、等の特徴を有する。また、請求項２は、錘を下に、把手を上にして、杭押込み用、杭打撃用としての利用も可能とし、汎用性を確保できること等の実益を有する。その他は、前述の請求項１の特徴と実益を有する。
【００２１】
請求項３の考案は、請求項１に記載の杭打ち具であって、
対の把手は、その一方の取付部を、錘の外周に設け、他方の取付部を、空洞の外周に設ける構造とし、ハンマー本体の打撃時のぶれ解消を可能とすることを特徴とした杭打ち具である。
【００２２】
従って、請求項３は、対の把手の一方の取付部を、錘の外周に設け、他方の取付け部を、前記空洞の外周に設ける構造とし、安定した状態で杭打ち作業ができること、杭を鉛直方向に確実に立設できること、等の特徴を有する。また、錘の長手方向の略真中に、一方の取付部を設けることで、錘を持上げる力を軽減し、スムーズな持上げとともに、打ち下ろし等が図れること、等の実益を有する。また、請求項３は、錘を下に、把手を上にして、杭押込み用、杭打撃用としての利用も可能となり、汎用性が確保できること、等の実益を有する。さらに、請求項３は、把手を横持で、錘を横にし、杭押込み用、杭打撃用としての利用も可能となり、汎用性が確保できること、等の特徴を有する。その他は、前述の請求項１の特徴と実益を有する。
【図面の簡単な説明】
【００２３】
【図１】杭打ち具の第一実施例を示した斜視図
【図２】第一実施例の一部欠截の正面図
【図３】第一実施例の俯瞰図
【図４】第一実施例のＡ−Ａ断面図
【図５】第一実施例の杭打ち具で、圃場の植物、実、蔓等の支持用の杭を打ち付ける状態を示した模式図
【図６】第一実施例の杭打ち具で、圃場のネット用の杭を打ち付ける状態を示した模式図
【図７】第一実施例の杭打ち具で、海中の海苔用の杭を打ち付ける状態を示した模式図
【図８】杭打ち具の第二実施例を示した斜視図
【図９】第二実施例の一部欠截の正面図
【図１０】第二実施例の俯瞰図
【図１１】第二実施例のＡ−Ａ断面図
【図１２】第二実施例の杭打ち具で、圃場の植物、実、蔓等の支持用の杭を打ち付ける状態を示した模式図
【考案を実施するための形態】
【００２４】
第一実施例を、図１〜図７に基づいて説明すると、１は筒状のハンマー本体で、このハンマー本体１は、その上方１ａの部位を、重量物（金属）で閉塞することで錘２とし、この錘２は、杭Ｈを打撃する槌である。また、その下方１ｂの部位は、ハンマー本体１を構成する周壁１ｃであり、内部は空洞３である。そして、この空洞３には、杭Ｐの頭部Ｐ１が挿入される空間である。このハンマー本体１の上方１ａを錘２とし、その下方１ｂを空洞３とする、二分割構造とすることで、杭Ｐの頭部Ｐ１を空洞３で捉え、かつ杭Ｐに、錘２の落下速度と荷重を、確実に、伝達できる特徴がある。尚、前記錘２と空洞３との長手方向Ｘの寸法関係は、１：３（例えば、１２０ｍｍ：３００ｍｍ程度とする）の関係とする。これにより、人力で、このハンマー本体１に対する錘２の寸法を調整することで、一般人が、人力で、ハンマー本体１（杭打ち具）を持上げ可能とする。
【００２５】
また、空洞３の外周３ａ（周壁１ｃの外面に相当する）の対称位置には、対の把手５の収れんした取付部５００が溶接されている。従って、この把手５は、把手部５０１が広く、その対の把手５間の寸法は、丁度、人Ｈの肩寸法Ｈ１であって、両手を体の前方、上方等に差出した際に、略その幅寸法で把手できる構造となり、もって、把手５を両手Ｈ２で、違和感なく支持できること、杭打ちの疲労が少ないこと、又は長い時間の杭打ちにも有効であり、有益であること、等の特徴がある。尚、この把手５の把手部５０１を、ハンマー本体１の下部に向かって延設することで、高い杭Ｐ、段差箇所、又は海苔網用の杭打ちに適する構造となること、背の低い、例えば、子供用等の杭打ち具として利用可能となること、等の特徴を有する。
【００２６】
この第一実施例では、ハンマー本体１に対して、把手５（ハンマー本体１から）の関係は、１：１．５（例えば、４２０ｍｍ：６６０ｍｍ程度とする）の関係とする。これにより、人Ｈの頭Ｈ３より、１２００ｍｍ（空洞３を含めて、以下同じ）の高さから、図示の如く、人Ｈの頭Ｈ３の高さまで、随意の高さの杭Ｐの杭打ちに採用可能であり、汎用性がある。尚、図示しないが、錘２は、通常の金槌としての使用もできる。例えば、ハンマー本体１か、又は把手５を支持し、錘２を槌とする。ここで、図５〜図７に示した杭打ち作業では、杭Ｐの頭部Ｐ１を、空洞３に挿入し、把手５を利用し、ハンマー本体１を僅か持上げ、杭Ｐの頭部Ｐ１と錘２との間に空間を形成する。そして、ハンマー本体１の持上げを開放することで、このハンマー本体１と、その錘２並びに把手５の落下荷重で、この杭Ｐの先端部Ｐ２を地中に打込む（差込む）。この打込みで、例えば、杭Ｐが立設したならば、空洞３内に、杭Ｐの頭部Ｐ１を挿入した状態で、前回と同様に、ハンマー本体１を持上げ、その後、この持上げを開放する。前回と同様に、ハンマー本体１と、その錘２並びに把手５の落下荷重で、杭Ｐが地中に打込まれる。この持上げと開放とを繰返して、杭Ｐを地中に立設する。以上の杭打ち作業は、図示の何れの場合でも、同じ作業となることが考えられる。また、空洞３と杭Ｐとの間には、隙間Ａがあり、この隙間Ａを介して、衝撃空気と音が排出される。そして、図示した杭打ち作業は一例であり、限定されない。
【００２７】
図中Ｒは杭Ｐ間に張装したネット、Ｓは海中の船を示す。
【００２８】
第二実施例を、図８〜図１２に基づいて説明すると、ハンマー本体１と、その構造である上方１ａの錘２と、ハンマー本体１の周壁１ｃで構成される下方１ｂの空洞３（杭Ｐの頭部Ｐ１が挿入される空間）等は、前記第一実施例に準ずる。尚、前記錘２と空洞３との長手方向Ｘの寸法関係は、２：３（例えば、２００ｍｍ：３０５ｍｍ程度とする）の関係とする。これにより、人力で、このハンマー本体１に対する錘２の寸法を調整することで、一般人が、人力で、ハンマー本体１（杭打ち具）を持上げ可能とする。
【００２９】
また、ハンマー本体１の周壁１ｃの外周１ｄには、正面視してコ字形の把手５が、対称関係に対で設けられる。この把手５の好ましい取付け（溶接）としては、各図の例である。即ち、把手５の一方の取付部５００ａは、錘２の外周２ａに取付け、また、他方の取付部５００ｂは、空洞３の外周３ａ（周壁１ｃの外面に相当する）に取付ける構造とする。これにより、例えば、安定した状態で杭打ち作業ができること、杭Ｐを鉛直方向に確実に立設できること、等の特徴を有する。また、錘２の長手方向の略真中に、一方の取付部５００ａを設けることで、錘２を持上げる力を軽減し、スムーズな持上げとともに、打ち下ろし等が図れること、等の実益を有する。
【００３０】
そして、この把手５の張出し寸法（錘２の外周２ａと、空洞３の外周３ａからの距離）は、把手部５０１が広く、丁度、人Ｈの肩寸法Ｈ１であって、両手を体の前方、上方等に差出した際に、略その幅寸法で把手できる構造となり、もって、把手５を両手Ｈ２で、違和感なく支持できること、杭打ちの疲労が少ないこと、又は長い時間の杭打ちにも有効であり、有益であること、等の特徴がある。
【００３１】
この第二実施例では、ハンマー本体１の周壁１ｃの外周１ｄに、把手５を設けた構造であるので、原則として、人Ｈの身長に相当した杭打つ作業に利用することが望ましい。勿論、脚立、台、等の補助具、又は地盤を利用することで、杭Ｐの高さは変わる。その他は、第一実施例に準ずる。
【００３２】
ここで、図１２に示した杭打ち作業では、杭Ｐの頭部Ｐ１を、空洞３に挿入し、把手５を利用し、ハンマー本体１を肩の近傍まで持上げ、杭Ｐの頭部Ｐ１と錘２との間に空間を形成する。そして、ハンマー本体１の持上げを開放することで、このハンマー本体１と、その錘２並びに把手５の落下荷重で、この杭Ｐの先端部Ｐ２を地中に打込む。この打込みで、例えば、杭Ｐが立設したならば、空洞３内に、杭Ｐの頭部Ｐ１を挿入した状態で、前回と同様に、ハンマー本体１を持上げ、その後、この持上げを開放する。前回と同様に、ハンマー本体１と、その錘２並びに把手５の落下荷重で、杭Ｐが地中に打込まれる。この持上げと開放とを繰返して、杭Ｐを地中に立設する。その他は、各種の杭打ち作業は、第一実施例に準ずる。また、空洞３と杭Ｐとの間には、隙間Ａがあり、この隙間Ａを介して、衝撃空気と音が排出される。そして、図示した杭打ち作業は一例であり、限定されない。
【符号の説明】
【００３３】
１            ハンマー本体
１ａ          上方
１ｂ          下方
１ｃ          周壁
１ｄ          外周
２            錘
２ａ          外周
３            空洞
３ａ          外周
５            把手
５００        取付部
５００ａ      一方の取付部
５００ｂ      他方の取付部
Ａ            隙間
Ｈ            人
Ｈ１          肩寸法
Ｈ２          手
Ｐ            杭
Ｐ１          頭部
Ｐ２          先端部
Ｑ            圃場
Ｒ            ネット
Ｓ            船
Ｈ            人
Ｈ１          肩寸法
Ｈ２          手
【図１】
0003165743.tif 000003
【図２】
0003165743.tif 000004
【図３】
0003165743.tif 000005
【図４】
0003165743.tif 000006
【図５】
0003165743.tif 000007
【図６】
0003165743.tif 000008
【図７】
0003165743.tif 000009
【図８】
0003165743.tif 000010
【図９】
0003165743.tif 000011
【図１０】
0003165743.tif 000012
【図１１】
0003165743.tif 000013
【図１２】
0003165743.tif 000014